(57)【要約】【課題】複数の異なるフォーマットに対応した記録面を有しており、異なるフォーマットに対応した光記録再生装置に対して装着可能な互換性を有する光記録媒体を提供する。【解決手段】第１透明基板１１、第１記録面１３、第２基板１４、第２記録面１６、第３透明基板１７が積層された構成の光記録媒体において、上記第１記録面１３の記録再生を行うレーザ光Ｌ１１が第１透明基板１１側から照射され、上記第２記録面１６の記録再生を行うレーザ光Ｌ１２が第３透明基板１７側から照射され、上記第１記録面１３と上記第２記録面１６とが異なるフォーマットに対応している。【選択図】図１
2010186561.tif 000002
【特許請求の範囲】
【請求項１】
第１透明基板または第１透明カバー層、第１記録面、第２記録面、第３基板がこの順に積層された光記録媒体において、
上記第１記録面および上記第２記録面は異なるフォーマットに対応しており、
上記第１記録面または上記第２記録面は、追記型または書き換え型の記録面であり、
上記第１記録面の記録容量と上記第２記録面の記録容量とが概ね等しいものであることを特徴とする光記録媒体。
【請求項２】
上記第１記録面または上記第２記録面は、多層の記録層からなることを特徴とする光記録媒体。
【発明の詳細な説明】
【技術分野】
【０００１】
本発明は、例えば、非線形光透過層を有した多層の光記録媒体等のような、異なる規格に対して互換性を有する光記録媒体に関する。
【背景技術】
【０００２】
近年、情報化の進展によって、光記録媒体に対して高密度・大容量・高速アクセス等が求められている。大容量光記録媒体として、ＣＤ(Compact Disk)やＭＯ(Magnet-Optical disk)、ＤＶＤ(Digital Versatile Disk)等が普及しており、さらに大容量を実現可能な光気記録媒体として、青色レーザを用いたＢｌｕ−Ｒａｙ  Ｄｉｓｋ（以下、ＢＤと省略する。）やＨＤ−ＤＶＤが開発されている。
【０００３】
上記ＣＤにおいては、記録層としてプレピットを用いた再生専用型のＣＤ−ＲＯＭ、記録層として色素膜を用いた一回のみ追記可能型のＣＤ−Ｒ、および記録層として相変化膜を用いた書き換え型のＣＤ−ＲＷの３種類が存在する。ＤＶＤやＢＤについても、上記ＣＤと同様に、再生専用型、追記可能型、および書き換え型の光ディスクが存在する。
【０００４】
ここで、上記ＣＤ、ＤＶＤ、ＢＤについて図面を用いて説明する。
図１２は、ＣＤに対して情報の記録再生を行う際の要部構成を説明する断面図である。ＣＤ（１層６５０ＭＢ）の場合、記録再生を行う半導体レーザ光１２５の波長が７８０ｎｍ、対物レンズ１２４の開口数ＮＡが０．４５であり、概ね１．２ｍｍの厚みの透明基板１２１が用いられており、透明基板１２１の表面に形成された記録層１２２の透明基板１２１と反対側には保護層１２３が設けられている。レーザ光１２５は、透明基板１２１側から記録層１２２へと対物レンズ１２４により集光照射され、情報の記録再生が行われる。
【０００５】
次に、図１３は、ＤＶＤに対して情報の記録再生を行う際の要部構成を説明する断面図である。ＤＶＤ（１層４．７ＧＢ）の場合、記録再生を行う半導体レーザ光１３７の波長が６５０ｎｍ、対物レンズ１３６のＮＡが０．６、透明基板１３１の厚さが０．６ｍｍであり、この厚さの基板２枚を貼あわせることによって、光記録媒体のトータル厚みはＣＤと同様の１．２ｍｍとなっている。
【０００６】
図１３に示す片面２層タイプのＤＶＤでは、厚さ０．６ｍｍの２枚の透明基板１３１および１３５それぞれが記録層１３２および記録層１３４を持ち、互いの記録層が向き合うように、中間層１３３を介して接着されており、一方の透明基板１３１側からレーザ光１３７が対物レンズ１３６により集光照射され、記録層１３２または記録層１３４の記録再生が行われる。
【０００７】
一般に、光と集光スポット径の関係は、レーザ光の波長λと対物レンズの開口数ＮＡを用いて（集光スポット径）∝λ／ＮＡで示される。従って、集光スポット径をより小さくするためには、波長λをより短く、開口数ＮＡをより大きくすることが必要である。
【０００８】
一方、レーザ光が通過する透明基板の厚さをｔとすると、透明基板の傾きが発生した際、（ｔ／λ）×ＮＡ３に比例するコマ収差が発生することになる。波長λを短くし、開口数ＮＡを大きくすると、コマ収差が大きくなり、透明基板の傾きに対して、真円状の集光スポットを維持することができなくなる。従って、コマ収差を抑制し、記録密度を大きくするためには、透明基板の厚さｔを小さくする必要があることになる。
【０００９】
このような事情から、短波長化・高ＮＡ化により高密度化を実現したＤＶＤの透明基板１３１の厚さは、ＣＤの透明基板１２１（図１２参照）の厚さの半分の厚さとなっている。
【００１０】
次に、図１４は、ＢＤに対して記録再生を行う際の要部構成を説明する断面図である。ＢＤは、１．１ｍｍ厚のディスク基板１４４上に記録層１４３が設けられ、該記録層１４３を覆うように、０．１ｍｍ厚の透明カバー層１４１が透明接着剤１４２により貼り付けられた構成となっている。ＢＤに対する情報の記録再生は、波長４０５ｎｍのレーザ光１４６を、開口数ＮＡが０．８５の対物レンズ１４５により、透明カバー層１４１側から記録層１４３へと集光照射することにより行われる。
【００１１】
ＢＤにおいても、短波長レーザ光・高ＮＡ対物レンズを使用することによるコマ収差の増大を、レーザ光が通過する透明カバー層１４１の厚さを０．１ｍｍと薄くすることにより抑制し、記録密度の増大を実現している。
【００１２】
また、波長４０５ｎｍのレーザ光をＤＶＤに適用したＨＤ−ＤＶＤと呼ばれる光ディスクの開発も進められており、このＨＤ−ＤＶＤでは、ＤＶＤと同じく、開口数ＮＡが０．６の対物レンズが使用され、０．６ｍｍ厚の透明基板が採用されている。
【００１３】
以上のように、ＣＤ，ＤＶＤ，ＢＤ，ＨＤ−ＤＶＤと異なる形状を有する光記録媒体が存在している。これらの光ディスクにおいて、ＢＤとＣＤとの互換性を確保することが可能な光記録媒体の構成が、非特許文献１“１．２ｍｍ−Ｔｈｉｃｋ  Ｂｌｕ−ｒａｙ／ＣＤ  Ｄｕａｌ  Ｆｏｒｍａｔ  ｄｉｓｃｓ”（Ｔｅｃｈｎｉｃａｌ  Ｄｉｇｅｓｔ  ｏｆ  ＩＳＯＭ’０４，  ｐ１５０，１５１）のＦｉｇ．１に開示されている。
【００１４】
図１５に、上記非特許文献１に記載されている光記録媒体の断面図を示す。該光記録媒体は、ＣＤフォーマットに対応したＣＤ記録層１５４が形成された１．１ｍｍ厚のＣＤ基板１５５上に、０．０３ｍｍ厚の中間層１５３を介して、ＢＤフォーマットに対応したＢＤ記録層１５２が設けられ、該ＢＤ記録層１５２上に、０．１ｍｍ厚のＢＤカバー層１５１が設けられた構成となっている。ここで、ＣＤ記録層１５４の記録再生は、波長７８０ｎｍまたは６５０ｎｍのレーザ光１５８を、開口数ＮＡが０．４５の対物レンズ１５９を用いて、ＣＤ基板１５５側から、ＣＤ記録層１５４へと集光照射することにより行われる。また、ＢＤ記録層１５２の記録再生は、波長４０５ｎｍのレーザ光１５６を、開口数ＮＡが０．８５の対物レンズ１５７を用いて、ＢＤカバー層１５１側から、ＢＤ記録層１５２へと集光照射することにより行われる。
【００１５】
通常、ＣＤ基板厚は１．２ｍｍであるが、上記の文献においては、ＣＤ基板１５５の厚さを１．１ｍｍとした場合においても、良好な再生特性が得られることを実証している。また、上記の構成によれば、光記録媒体のトータル厚さが、概ね１．２ｍｍとなり、ＣＤを記録再生可能な装置に対しても装着可能であり、かつ、ＢＤを記録再生可能な装置に対しても装着可能な光記録媒体であることが提示されている。
【００１６】
また、上記非特許文献１には、図１６に示す光記録媒体についても併せて記載されている。図１６に示す光記録媒体は、１．１ｍｍ厚の透明基板１６３の両面に、ＣＤ記録層１６２とＢＤ記録層１６４とが設けられ、ＣＤ記録層１６２上に保護層１６１が設けられ、ＢＤ記録層１６４上にＢＤカバー層１６５が設けられた構成となっている。ここで、ＣＤ記録層１６２の記録再生は、波長７８０ｎｍまたは６５０ｎｍのレーザ光１６８を、開口数ＮＡが０．４５の対物レンズ１６９を用いて、ＢＤカバー層１６５側から、ＣＤ記録層１６２へと集光照射することにより行われる。また、ＢＤ記録層１６４の記録再生は、波長４０５ｎｍのレーザ光１６６を、開口数ＮＡが０．８５の対物レンズ１６７を用いて、ＢＤカバー層１６５側から、ＢＤ記録層１６４へと集光照射することにより行われる。
【００１７】
また、これらの光記録媒体の多くは、著作権保護の観点から光記録媒体が固有の識別情報を保有している場合がある。特許文献１においては、図１７に示すように、バーコード状のＢＣＡ１７０が設けられている。該ＢＣＡ１７０としては、光記録媒体製造後、光記録媒体ごとに異なる識別情報（ＩＤ）や、暗号鍵や復号鍵が、バーコード状に記録されたものであり、大強度のレーザ光等を集光照射して、記録膜自体を蒸発させて書き換え不可能なバーコードを形成する光透過タイプのＢＣＡや、記録層自体もしくは記録層周辺の基板に、書き換え不可能な変質を生じさせ、該変質領域の反射光量変化を読み取る反射率制御タイプのＢＣＡがある。
【先行技術文献】
【特許文献】
【００１８】
【特許文献１】特開２０００−１７３０６２号公報（２０００年６月２３日公開）
【非特許文献】
【００１９】
【非特許文献１】Ｓｈｉｎ  Ｍａｓｕｈａｒａら著、「１．２ｍｍ−Ｔｈｉｃｋ  Ｂｌｕ−ｒａｙ／ＣＤ  Ｄｕａｌ  Ｆｏｒｍａｔ  ｄｉｓｃｓ」、Ｔｅｃｈｎｉｃａｌ  Ｄｉｇｅｓｔ  ｏｆ  ＩＳＯＭ’０４，ｐ１５０，１５１（２００４年９月１１日公開）
【発明の概要】
【発明が解決しようとする課題】
【００２０】
しかしながら、図１５および図１６に示す従来技術による光記録媒体では、ＣＤとＢＤとの両方のフォーマットを有する光記録媒体を提供することが可能であるが、ＢＤとＤＶＤとの両方のフォーマットを有する光記録媒体を提供することができない。
【００２１】
例えば、図１５に示す従来技術に従って、ＢＤとＤＶＤとの両方のフォーマットを有する光記録媒体を形成すると、図１８に示すように、ＤＶＤフォーマットからなるＤＶＤ記録層１８４が形成された０．６ｍｍ厚のＤＶＤ基板１８５上に、０．０３ｍｍ厚の中間層１８３を介して、ＢＤフォーマットからなるＢＤ記録層１８２が設けられ、該ＢＤ記録層１８２上に、０．１ｍｍ厚のＢＤカバー層１８１が設けられた構成となる。この場合、光記録媒体のトータル厚さｔが、概ね０．７ｍｍとなる。ＤＶＤの記録再生装置もＢＤの記録再生装置も、厚さ１．２ｍｍの光記録媒体を想定しているから、厚さが概ね０．７ｍｍの上記光記録媒体は、どちらの記録再生装置にも装着できない光記録媒体となってしまう。
【００２２】
また、図１６に示す構成の光記録媒体においても、ＢＤとＤＶＤとの両方のフォーマットを有する光記録媒体を形成しようとすると、同様に、光記録媒体のトータル厚さが、概ね０．６ｍｍとなってしまい、ＢＤの記録再生装置にも、ＤＶＤの記録再生装置にも装着できない光記録媒体となってしまうという問題がある。
【００２３】
次に、図１５および図１８に示す光記録媒体においては、０．０３ｍｍ厚と極めて薄い中間層１５３，１８３を介して各記録層が隣接することになる。従って、各々の記録層にＢＣＡ１７０を保有させる場合、一方の記録層のＢＣＡ１７０を透過した光が、他方の記録層のＢＣＡ１７０により反射されることにより、一方の記録層のＢＣＡ情報が他方の記録層のＢＣＡ情報に混入することとなり、識別情報の読み取りエラーが発生する可能性があるという問題がある。
【００２４】
また、図１６に示す光記録媒体においては、ＣＤ記録層１６２に集光照射されるレーザ光１６８がＢＤ記録層１６４を透過するため、ＣＤ記録層１６２のＢＣＡ１７０と、ＢＤ記録層１６４のＢＣＡ１７０との半径位置等が接近すると、ＣＤ記録層１６２におけるＢＣＡ１７０を読み込む光が、ＢＤ記録層１６４におけるＢＣＡ１７０を通過することになる。その結果、各記録層の重畳したＢＣＡ情報を読み込むことにより、識別情報の読み取りエラーが発生する可能性があるという問題がある。
【００２５】
本発明は上述した従来の問題に鑑みてなされたものであり、複数の異なるフォーマットに対応した光記録再生装置に対して装着可能な互換性を有する光記録媒体を提供することを目的としている。
【課題を解決するための手段】
【００２６】
本発明に係る光記録媒体は、前記課題を解決するために、第１透明基板または第１透明カバー層、第１記録面、第２記録面、第３基板がこの順に積層された光記録媒体において、上記第１記録面および上記第２記録面は異なるフォーマットに対応しており、上記第１記録面または上記第２記録面は、追記型または書き換え型の記録面であり、上記第１記録面の記録容量と上記第２記録面の記録容量とが概ね等しいことを特徴としている。
【００２７】
本発明に係る光記録媒体では、上記第１記録面または上記第２記録面は、多層の記録層からなる構成であってよい。
【発明の効果】
【００２８】
本発明に係る光記録媒体は、以上のように、上記第１記録面および上記第２記録面は異なるフォーマットに対応しており、上記第１記録面または上記第２記録面は、追記型または書き換え型の記録面であり、上記第１記録面の記録容量と上記第２記録面の記録容量とが概ね等しい。
【００２９】
それゆえ、複数の異なるフォーマットに対応した光記録再生装置に対して装着可能な互換性を有する光記録媒体を提供することができる。
【図面の簡単な説明】
【００３０】
【図１】本発明の一実施形態を示すものであり、本発明の第１の光記録媒体の概略構成を示す断面図である。
【図２】再生専用型である記録層の概略構成を示す断面図である。
【図３】追記可能型である記録層の概略構成を示す断面図である。
【図４】追記可能型である記録層の概略構成を示す断面図である。
【図５】本発明の他の実施形態を示すものであり、本発明の第２の光記録媒体の概略構成を示す断面図である。
【図６】本発明の他の実施形態を示すものであり、本発明の第２の光記録媒体において、各記録面に複数の記録層が形成されている場合の概略構成を示す断面図である。
【図７】本発明の他の実施形態を示すものであり、本発明の第３の光記録媒体（再生専用型）の概略構成を示す断面図である。
【図８】本発明の他の実施形態を示すものであり、本発明の第３の光記録媒体（追記可能型）の概略構成を示す断面図である。
【図９】本発明の他の実施形態を示すものであり、本発明の第３の光記録媒体（書き換え可能型）の概略構成を示す断面図である。
【図１０】本発明の他の実施形態を示すものであり、本発明の第４の光記録媒体のＢＣＡの概略を説明する斜視図である。
【図１１】図１０のＢＣＡの位置関係を説明するために拡大した、記録層の積層方向に平行な面の断面図である。
【図１２】従来の技術を示すものであり、ＣＤに対して記録再生を行う要部の断面図である。
【図１３】従来の技術を示すものであり、ＤＶＤに対して記録再生を行う要部の断面図である。
【図１４】従来の技術を示すものであり、ＢＤに対して記録再生を行う要部の断面図である。
【図１５】従来の技術を示すものであり、ＢＤとＣＤとの記録再生層を備えている光記録媒体の概略を示す断面図である。
【図１６】従来の技術を示すものであり、ＢＤとＣＤとの記録再生層を備えている他の光記録媒体の概略を示す断面図である。
【図１７】従来の技術を示すものであり、ＢＣＡを備えた光記録媒体の概略を示す平面図である。
【図１８】従来の技術を示すものであり、図１５の光記録媒体の構成を用いて、ＢＤとＤＶＤとの記録再生層を備えた光記録媒体を実現した場合の断面図である。
【発明を実施するための形態】
【００３１】
本発明の実施形態について図１ないし図１１に基づいて説明すると以下の通りである。なお、以下に説明する各実施形態は、本発明の実施形態の一例に過ぎず、本発明の範囲は、以下の実施形態の範囲に限られるものではない。
【００３２】
〔本発明の第１の光記録媒体〕
本発明の一実施形態としての第１の光記録媒体の断面図を図１に示す。同図に示すように、本発明の第１の光記録媒体は、第１透明基板１１、第１記録層１３、第２基板１４、第２記録層１６、第３透明基板１７が積層された構成である。透明接着剤層１２は第１透明基板１１と第２基板１４とを貼り合わせる接着剤よりなり、透明接着剤層１５は第２基板１４と第３透明基板１７とを貼り合わせるための接着剤よりなるものである。図１では、透明接着剤層１２により第１透明基板１１と第２基板１４の第１記録層１３形成面とを貼り合わせ、接着剤層１５により第２基板１４の第１記録層１３の反対側の面と第３透明基板１７の第２記録層１６形成面とを貼り合わせた構成となっている。また、第１記録層１３と第２記録層１６とは、それぞれ、異なるフォーマットに従って形成された凹凸パターンを有しており、適宜、記録膜や反射膜が形成されている。
【００３３】
なお、上記第１透明基板１１には、ポリカーボネートのような基板を使用することができる。また、該第１透明基板１１は、１００μ程度の膜厚のものであればよく、必ずしも基板である必要はない。本実施形態の光記録媒体は、第１透明基板１１の代わりに、例えば、紫外線硬化樹脂等をスピンコートすることによって作製されたカバー層を備えたものであってもよい。
【００３４】
上記第１記録層１３および第２記録層１６（以下、適宜、これらをまとめて「記録層」という。）としては、再生専用型、追記可能型、書き換え型の３種類が存在する。これら３種類の記録層の構成について、図２〜図４を用いて以下に説明する。
【００３５】
図２は、記録層が再生専用型である場合の断面図を示している。同図に示すように、再生専用型の記録層は、プリピット２３が設けられた透明基板２１上に、Ａｌ等の反射膜２２が形成された構成であり、対物レンズ２４によりレーザ光２５が反射膜２２上に集光照射され、プリピット２３の再生が行われる。
【００３６】
次に、図３は、記録層が追記可能型である場合の断面図を示している。同図に示すように、追記可能型の記録層は、案内溝３４が設けられた透明基板３１上に、ＴｅＯｘ等の相変化膜３２と反射膜３３とからなる記録層が形成された構成であり、対物レンズ３５によりレーザ光３６が記録層に集光照射され、情報の記録再生が行われる。
【００３７】
次に、図４は、書き換え可能型の場合の断面図を示している。同図に示すように、案内溝４６が設けられた透明基板４１上に、ＺｎＳ−ＳｉＯ２等の透明誘電体膜４２、ＧｅＳｂＴｅ等の相変化記録膜４３、ＺｎＳ−ＳｉＯ２等の透明誘電体膜４４、Ａｌ等の反射膜４５からなる記録膜が形成され、対物レンズ４７によりレーザ光４８が記録層に集光照射され、情報の記録再生が行われる。
【００３８】
上述したとおり、記録層としては、再生専用型、追記可能型、書き換え型の３種類が存在するが、以下では、これら３種のものを区別せずに説明する。
【００３９】
本発明の実施形態である第１の光記録媒体への記録再生は、次のようにして行われる。図１に示すように、第１透明基板１１側から照射される第１レーザ光Ｌ１１は、第１対物レンズＣＬ１１により第１記録層１３へと集光され、第１記録層１３への情報の記録および／または第１記録層１３に記録されている情報の再生が行われる。また、第３透明基板１７側から照射される第２レーザ光Ｌ１２は、第２対物レンズＣＬ１２により第２記録層１６へと集光され、第２記録層１６の記録再生が行われる。
【００４０】
上記のような構成とすることにより、安定した記録再生を実現することができる。すなわち、第１記録層１３からなる第１記録面への記録再生を行う際、第１レーザ光Ｌ１１は、第１透明基板１１と透明接着剤層１２のみを透過することにより、第１記録層１３への記録再生を実現することが可能となる。また、第２記録層１６からなる第２記録面への記録再生を行う際、第２レーザ光Ｌ１２は、第３透明基板１７のみを透過することにより、第２記録層１６への記録再生を実現することが可能となる。その結果、それぞれの記録層に対して、他方の記録層を透過することなく、従来の光記録媒体と同様な安定した記録再生を実現することが可能となる。
【００４１】
ここで、第２基板１４は、本発明の光記録媒体の互換性を確保することができるように、その厚さを設定することが望ましい。例えば、第１記録層１３が、ＢＤフォーマットに対応する記録層である場合、第１レーザ光Ｌ１１の波長が４０５ｎｍであり、第１対物レンズＣＬ１１の開口数ＮＡが０．８５であり、第１透明基板１１の厚さが概ね０．１ｍｍとなる。また、第２記録層１６が、ＨＤ−ＤＶＤフォーマットに対応する記録層である場合、第２レーザ光Ｌ１２の波長が４０５ｎｍであり、第２対物レンズＣＬ１２の開口数ＮＡが０．６０であり、第３透明基板１７の厚さが概ね０．６ｍｍとなる。
【００４２】
一般に、光記録媒体においては、チャッキング等の互換性を確保するため、光記録媒体のトータル厚さが揃えられている。例えば、ＣＤ，ＤＶＤ，ＢＤのトータル厚さは、いずれも同じ１．２ｍｍとされている。
【００４３】
ここで、本実施の形態の第１の光記録媒体においては、第１透明基板１１の厚さが０．１ｍｍであり、第３透明基板１６の厚さが０．６ｍｍであるため、第２基板１４の厚さを概ね０．５ｍｍとして、光記録媒体のトータル厚さを１．２ｍｍとすることが望ましい。ここでは、透明接着剤層１２および１５（以下、両者を区別ない場合、適宜「接着剤層」という。）の厚さを無視しているが、接着剤層の厚さが無視できない程度に厚くなる場合には、第２基板１４の厚さを接着剤層の厚さ分だけ薄くすることが望ましい。
【００４４】
このように、本実施の形態の第１の光記録媒体は、第２基板１４の厚さを調整して、光記録媒体のトータル厚さｔを１．２ｍｍとすることにより、ＢＤフォーマットのみに対応する記録再生装置およびＨＤ−ＤＶＤフォーマットのみに対応する記録再生装置のいずれに対しても、チャッキング可能な光記録媒体とすることが可能となる。
【００４５】
上述した本実施の形態においては、第１記録層１３がＢＤフォーマットに対応し、第２記録層１６がＨＤ−ＤＶＤフォーマットに対応した光記録媒体について説明しているが、第１記録層１３がＢＤフォーマットに対応し、第２記録層１５がＤＶＤフォーマットに対応した光記録媒体においても、同様に第２基板１４の厚さを０．５ｍｍとすることにより、ＢＤフォーマットとＤＶＤフォーマットとの両方に対して互換性を有する光記録媒体を提供することが可能である。
【００４６】
加えて、現在、２層記録再生に対応していないＢＤ記録再生装置が市場に出ているため、例えば、上記第１記録面がＢＤフォーマットの２層記録層を有しており、上記第２記録面がＢＤフォーマットの１層記録層を有しているような構成とすることもできる。このような構成とすることで、例えば、ＨＤ画質の４時間の画像を２層記録面に記録し、同様のプログラムをＳＤ画質で４時間記録させた構成の光記録媒体を提供することが可能となり、２層記録に未対応の機種でも同様のプログラムを視聴することが可能となる。
【００４７】
ここで、本実施形態の第１の光記録媒体の第２基板１４について、さらに説明する。第２基板１４は、紫外線硬化樹脂等をスピンコートすることによって作製されるような接着剤層ではなく、ポリカーボネートシートのような基板を示している。このことによって、光記録媒体のトータル厚さを１．２ｍｍに調整することが容易になる。接着剤では１００μｍ以上の厚みの層の平滑化が困難であり、既存の光記録媒体においても、接着剤層は１００μｍ以下のものが使用されている。また、第１の光記録媒体においては、記録層の記録再生のためのレーザ光は、第１透明基板１１または第３透明基板１７を通過するものであるが、第２基板１４を通過しないので、第２基板１４として光透過可能な材質のものを使用する必要が無い。従って、適宜、第２基板１４として様々な材質を選択することが可能である。
【００４８】
例えば、第２基板１４として、剛性の高いステンレスシート等の金属シートを用いることにより、光記録媒体の機械的強度を高め、反り等の変形を防止し、高品質な光記録媒体を提供することが可能となる。また、第２基板１４として、ペーパーシートを用いることにより、光記録媒体の低コスト化を実現することが可能である。
【００４９】
また、本実施形態の第１の光記録媒体は、第１記録層１３からなる第１記録面と、第２記録層１６からなる第２記録面とを同一の波長で再生する際に、それぞれの記録面を独立して記録再生することができる。これに対し、例えば、図１６に示した従来技術は、２つの記録面（ＣＤ記録層１６２、ＢＤ記録層１６４）を、異なる波長のレーザ光（レーザ光１６９、レーザ光１６７）で、同一基板側から記録再生するものであるが、この場合、ＢＤ記録層１６４として、波長選択性を有する半透明反射膜を用いることにより、２つの記録面を独立して記録再生することを可能としている（非特許文献１のＦｉｇ．２参照）。
【００５０】
しかし、２つの記録面を同一波長のレーザ光で記録再生する場合、図１の第２記録層１６に、上記波長選択性を有する半透明反射膜を用いることができない。このため、第２記録層１６を構成する反射膜の膜厚を薄くして、半透明反射膜とすることになる。この場合、第１記録層１３からの反射光強度と、第２記録層１６からの反射光強度とが、概ね等しくなるように、それぞれの記録層の反射率と透過率が設定される。しかしながら、上述したとおり、第２記録層１６は反射膜の膜厚を薄くして半透明反射膜としたものであり、波長選択性が無い。このため、それぞれの記録層へ入射させるレーザ光強度を大きくすることが必要とされるから、大出力の半導体レーザ光源が必要となる。
【００５１】
これに対し、本発明の光記録媒体においては、他方の記録面を透過することなく、一方の記録面にレーザ光が直接照射される。このため、例えば、ＢＤとＨＤ−ＤＶＤのように、ほぼ同一波長のレーザ光を用いた記録再生を行う場合であっても、両方の記録面に対する記録再生を、低出力の半導体レーザ光源を用いて、適切に行うことが可能となる。
【００５２】
〔本発明の第１の記録媒体の製造方法〕
図１に示す本実施形態の第１の光記録媒体の製造方法（形成方法）について、以下に説明する。
第１の光記録媒体は、第２記録層１６が形成された第３透明基板１７上に、第１記録層１３が形成された第２基板１４を接着剤１５により貼り合わせ、該第２基板の表面に形成された第１記録層１３上に、第１透明基板１１を透明接着剤１２により貼り合わせることにより製造することができる。
【００５３】
例えば、第１記録層１３をＢＤフォーマットに対応させ、第２記録層１６をＨＤ−ＤＶＤフォーマットに対応させた場合、第１透明基板１１、第２基板１４、および第３透明基板１７の厚さが、それぞれ、概ね０．１ｍｍ、０．５ｍｍ、および０．６ｍｍとなる。ここで、上記製造方法によれば、第１記録層１３からなる第１記録面が、０．５ｍｍ厚の第２基板１４上に設けられ、第２記録層１６からなる第２記録面が、０．６ｍｍの第３透明基板１７上に設けられることになる。このように、記録層を設ける基板の厚さが、０．５ｍｍ〜０．６ｍｍと比較的厚いものとなるから、従来同様に、射出成形法やフォトポリマー法（２Ｐ法）を用いて、記録情報やトラッキングのための凹凸パターンを基板表面に形成することができ、光記録媒体の形成コストを低減することが可能となる。
【００５４】
また、第１の光記録媒体の製造方法は、上述した製造方法に限られるものではなく、第２基板１４の両面に、それぞれ、第１記録層１３からなる第１記録面と第２記録層１６からなる第２記録面とを形成した後、第１記録面側に第１透明基板１１を、第２記録面側に第３透明基板１７を、それぞれ透明接着剤により貼り合わせることにより、光記録媒体を形成することとしても良い。この場合、第２基板１４の両表面に、一括して記録情報やトラッキングのための凹凸パターンを形成することが可能となるから、形成プロセスがさらに簡略化される。なお、この製造方法によれば、接着剤層１５は、第２基板１４と第２記録層１６との間ではなく、第２記録層１６と第３透明基板１７との間に位置する構成となる点において、図１に示したものとは異なる光記録媒体が得られる。
【００５５】
また、凹凸パターンを有する第１透明基板１１上に第１記録層１３からなる第１記録面を形成し、凹凸パターンを有する第３透明基板１７上に第２記録層１６からなる第２記録面を形成した後、第１透明基板１１と第３透明基板１７とを、第２基板１４へと、接着剤により貼り合わせることによっても、本発明の光記録媒体を形成することが可能である。この製造方法によれば、透明接着剤層１２が第１透明基板１１と第１記録層１３との間ではなく、第１記録層１３と第２基板１４との間に位置する構成となる点において、図１に示したものとは異なる光記録媒体が得られる。
【００５６】
この場合、記録層の記録再生のために、レーザ光が上記接着剤層を通過することが無いため、光を透過し難い接着剤を使用することが可能である。例えば、接着剤層として安価な両面粘着テープ等を用いることにより、光記録媒体の低コスト化が実現されるとともに、貼り合わせ工程を簡略化することができる。
【００５７】
現在、光記録媒体の高密度化のため、光学系においては短波長化および高ＮＡ化がすすんでいるが、このために、ディスクのチルト角に対するマージンが確保しにくくなっている。これに対し、例えば、金属を含むような機械的強度の強い基板を第２基板として用いることで、光記録媒体のそり等を防止し、チルトによる記録エラーや読み取りエラーを低減させることができる。
【００５８】
〔本発明の第２の光記録媒体〕
本発明の他の一実施形態としての第２の光記録媒体の断面図を図５に示す。同図に示すように、本実施形態の第２の光記録媒体は、第１透明基板５１、第１記録層５３、第２基板５４、第２記録層５５、第３記録層５７、第３透明基板５８が積層された構成である。透明接着剤層５２は第１透明基板５１と第２基板５４とを貼り合わせるための接着剤よりなり、透明接着剤層５６は、第２基板５４と第３透明基板５８とを貼り合わせるための接着剤よりなるものである。なお、以下において、透明接着剤層５２と透明接着剤層５６とを区別しない場合、適宜「接着剤層」という。
【００５９】
また、第２記録層５５と第３記録層５７とが、同一フォーマットに従った凹凸パターンを有し、第１記録層５３が、第２記録層５５および第３記録層５７と異なるフォーマットに従った凹凸パターンを有している。また、第１記録層５３、第２記録層５５および第３記録層５７（以下、これらを区別しない場合には、適宜「記録層」という。）には、適宜、記録膜や反射膜が形成されている。
【００６０】
本実施形態の第２の光記録媒体への記録再生は、次のようにして行われる。第１記録層５３からなる第１記録面に対する記録再生は、上述した第１の光記録媒体と同様に、第１透明基板５１側から行われる。一方、第２記録層５５と第３記録層５６とからなる第２記録面に対する記録再生は、第３透明基板５８側から行われる。ここで、第２記録層５５への記録再生は、第３透明基板５８側から照射される第２レーザ光Ｌ５２を、第３記録層５７を透過させることにより行われる。従って、本実施形態の第２の光記録媒体においては、第３記録層５７が光透過可能な記録層であり、第２記録層５５と第３記録層５７からの第２レーザ光の反射光量がほぼ等しくなるように、その透過率が設定されることが望ましい。
【００６１】
ここで、第２基板５４は、本実施形態の光記録媒体の互換性を確保することができるように、その厚さを設定することが望ましい。例えば、第１記録層５３が、ＢＤフォーマットに対応する記録層である場合、第１レーザ光Ｌ５１の波長が４０５ｎｍであり、第１対物レンズＣＬ５１の開口数ＮＡが０．８５であり、第１透明基板５１の厚さが０．１ｍｍとなる。また、第２記録層５５と第３記録層５７とが、ＨＤ−ＤＶＤフォーマットに対応する記録層である場合、第２レーザ光Ｌ５２の波長が４０５ｎｍであり、第２対物レンズＣＬ５２の開口数ＮＡが０．６０であり、第３透明基板５８の厚さが０．６ｍｍとなる。
【００６２】
一般に、光記録媒体においては、チャッキング等の互換性を確保するため、光記録媒体のトータル厚さが揃えられている。例えば、ＣＤ，ＤＶＤ，ＢＤのトータル厚さは、いずれも同じ１．２ｍｍとされている。
【００６３】
ここで、本実施形態においては、第１透明基板５１の厚さが０．１ｍｍであり、第３透明基板５８の厚さが０．６ｍｍであるため、第２基板５４の厚さを０．５ｍｍとして、光記録媒体のトータル厚さを１．２ｍｍとすることが望ましい。ここでは、接着剤層の厚さを無視しているが、接着剤層の厚さが無視できない程度に厚くなる場合には、第２基板５４の厚さを、接着剤層の厚さ分だけ薄くすることが望ましい。
【００６４】
このように、本実施形態の光記録媒体は、第２基板５４の厚さを調整して、光記録媒体のトータル厚さを１．２ｍｍとすることにより、ＢＤフォーマットのみに対応する記録再生装置に対しても、ＨＤ−ＤＶＤフォーマットのみに対応する記録再生装置に対してもチャッキング可能な光記録媒体とすることが可能である。
【００６５】
また、ＢＤでは、開口数ＮＡが０．８５の対物レンズＣＬ５１を用い、ＨＤ−ＤＶＤでは、開口数ＮＡが０．６の対物レンズＣＬ５２を用いているため、ＢＤの記録密度がＨＤ−ＤＶＤの記録密度の概ね２倍となる。従って、図１に示した第１の光記録媒体では、第１記録層１３の記録容量が、第２記録層１６の記録容量の約２倍となる。このため、同一条件での記録再生を行った場合、第２記録層１６からなる第２記録面には、第１記録層１３からなる第１記録面の半分の情報しか記録できないことになる。
【００６６】
これに対し、本実施形態の第２の光記録媒体においては、ＢＤフォーマットに従う第１記録層５３からなる第１記録面と、ＨＤ−ＤＶＤフォーマットに従う第２記録層５５と第３記録層５７とからなる第２記録面が形成されている。このため、第１記録面の記録容量と第２記録面の記録容量とがほぼ等しくなるから、それぞれのフォーマットに対して、同一条件で、同一容量の記録を行うことが可能となる。
【００６７】
また、本実施形態の第２の光記録媒体においても、上述した第１の光記録媒体同様に、第２基板５４として、光透過可能な材質を使用する必要が無い。従って、第２基板５４として様々な材質を適宜選択することが可能である。第２基板５４として、例えば、ステンレスシートやペーパーシート等を使用することが可能である。
【００６８】
〔本発明の第２の記録媒体の製造方法〕
図５に示す本実施形態の第２の光記録媒体の製造方法（形成方法）について、以下に説明する。第２の光記録媒体は、第３記録層５７が形成された第３透明基板５８上に、両面に第１記録層５３と第２記録層５５とが形成された第２基板５４を、第２記録層５５が第３記録層５７側となるように、透明接着剤５６により貼り合わせ、第２基板５４の該第１記録層５３上に、第１透明基板５１を透明接着剤５２により貼り合わせることにより製造することができる。
【００６９】
例えば、第１記録層５３をＢＤフォーマットに対応させ、第２記録層５５と第３記録層５７とをＨＤ−ＤＶＤフォーマットに対応させた場合、第１透明基板５１、第２基板５４、および第３透明基板５８の厚さが、それぞれ、概ね０．１ｍｍ、０．５ｍｍ、および０．６ｍｍとなる。ここで、上記製造方法によれば、第１記録層５３と第２記録層５５とが０．５ｍｍ厚の第２基板５４の両面に設けられ、第３記録層５７が０．６ｍｍの第３透明基板５８上に設けられることになる。このように、記録層を設ける基板の厚さが、０．５ｍｍ〜０．６ｍｍと比較的厚いものとなるから、従来同様に、射出成形法やフォトポリマー法（２Ｐ法）を用いて、記録情報やトラッキングのための凹凸パターンを基板表面に形成することができ、光記録媒体の形成コストを低減することが可能となる。
【００７０】
また、第２の光記録媒体の製造方法は、上述した製造方法に限られるものではなく、射出成形法もしくはフォトポリマー法により第３記録層５７と第２記録層５５とが形成された第３透明基板５８上に、射出成形法もしくはフォトポリマー法により第１記録層５３が形成された第２基板５４を接着剤により貼り合わせ、該第１記録層５３上に、第１透明基板５１を透明接着剤５２により貼り合わせて光記録媒体を形成することとしてもよい。この製造方法によれば、透明接着剤層５６が第２記録層５５と第３記録層５７との間ではなく、第２記録層５５と第２基板５４との間に位置する構成となる点において、図５に示したものとは異なる光記録媒体が得られる。
【００７１】
この場合も、第１記録層５３と、第２記録層５５および第３記録層５７とを、０．５ｍｍ〜０．６ｍｍと比較的厚い第２基板５４もしくは第３透明基板５８上に形成することができる。このため、従来同様の方法を用いて記録情報やトラッキングのための凹凸パターンを基板表面に形成できるから、光記録媒体の形成コストを低減することが可能となる。
【００７２】
また、凹凸パターンを有する第１透明基板５１上に第１記録層５３を形成し、第３透明基板５７上に第３記録層５７と第２記録層５５とを形成した後、第１透明基板５１と第３透明基板５８を第２基板５４へと、接着剤により貼り合わせることによっても、本発明の光記録媒体を形成することが可能である。この製造方法によれば、透明接着剤層５６が第２記録層５５と第３記録層５７との間ではなく、第２記録層５５と第２基板５４との間に位置しており、透明接着剤層５２が第１透明基板５１と第１記録層５３との間ではなく第１記録層５３と第２基板５４との間に位置する構成となる点において、図５に示したものとは異なる光記録媒体が得られる。
【００７３】
この場合、記録層の記録再生のために、レーザ光が上記接着剤層を通過することが無いため、光を透過し難い接着剤を使用することが可能である。例えば、安価な両面粘着テープ等を用いることにより、光記録媒体の低コスト化が実現されるとともに、貼り合わせ工程を簡略化することができる。
【００７４】
上述した本実施形態においては、第１記録層５３としてＢＤフォーマットに対応し、第２記録層５５と第３記録層５７としてＨＤ−ＤＶＤフォーマットに対応した光記録媒体について説明しているが、第１記録層５３としてＢＤフォーマットに対応し、第２記録層５５と第３記録層５８としてＤＶＤフォーマットに対応した光記録媒体においても、第２基板５４の厚さを０．５ｍｍとすることにより、ＢＤフォーマットとＤＶＤフォーマットの両方に対して互換性を有する光記録媒体を提供することが可能である。
【００７５】
この場合、ＢＤフォーマットの場合、直径１２０ｍｍの光ディスクで、２５ＧＢの記憶容量を有しており、ＤＶＤフォーマットの場合、同一直径で、４．７ＧＢの記憶容量となるため、それぞれのフォーマットに対して、同一の記憶容量を確保するためには、１層のＢＤフォーマットの記録層に対して、概ね５層のＤＶＤフォーマットの記録層を設けることが望ましい。このように、複数の記録層を積層するためには、第２基板５８上に、フォトポリマー法を用いて、記録層を順次積層することが望ましい。
【００７６】
また、図６に示すように、第１透明基板６１または第２基板６３が、ＢＤフォーマットに対応した２層の記録層６２からなる第１記録面を有する場合、第２基板６３または第３透明基板６５にＨＤ−ＤＶＤフォーマットに対応した４層の記録層６４からなる第２記録面を設けることにより、記録層６２からなる第１記録面の記録容量と、記録層６４からなる第２記録面との記録容量が等しくなる。なお、図６に示すように、２層の記録層６２からなる第１記録面への情報の記録再生は、レーザ光Ｌ６１を対物レンズＣＬ６１で第１記録面に集光することにより行い、４層の記録層６４からなる第２記録面への記録再生は、レーザ光Ｌ６２を対物レンズＣＬ６２で第１記録面に集光することにより行う。
【００７７】
以上のように、本実施形態の第２の光記録媒体においては、異なるフォーマットに対応した記録層を有する光記録媒体において、各フォーマットにより決定されるトータルの記憶容量が等しくなるように、各記録面を構成する記録層の積層数を決定することにより、それぞれのフォーマットに対して、同一条件で、同一容量の記録を行うことが可能となる。
【００７８】
〔本発明の第３の光記録媒体〕
本発明の他の実施形態としての第３の光記録媒体は、その記録層の光入射側に、非線形光学層が設けられている点を除いて、本発明の第１の光記録媒体と同じ構成である。図７、図８および図９に、本発明の第３の光記録媒体の記録層の断面図を示す。
【００７９】
図７は、第３の光記録媒体が再生専用型である場合の断面図を示している。同図に示すように、プリピット７４が設けられた透明基板７１上に、非線形光学膜７２とＡｌ等の反射膜７３が形成されている。対物レンズ７５によりレーザ光７６が、非線形光学膜７２および反射膜７３上に集光照射されて、プリピット７４の再生が行われる。
【００８０】
ここで、非線形光学膜７２としては、レーザ光７６の照射に伴う温度上昇により、屈折率や光透過率や光反射率が変化するＺｎＯ，ＣｅＯｘ，ＴｉＯｘ等の薄膜や、近接場効果により微小領域の反射光量が増大するスーパーレンズ効果を利用することのできるＰｔＯｘ，ＡｇＯｘ等の薄膜を用いることができる。
【００８１】
これらの非線形光学膜を設けることにより、レーザ光７６が集光照射されて形成される光ビームスポット内の一部分のみの情報を再生することが可能な超解像再生が実現し、通常の光記録媒体の２倍の記録容量を実現することが可能となる。また、上記実施例において、記録面に対してレーザ光入射側と反射膜との間に非線形光学膜が形成されていてもよい。
【００８２】
次に、図８は、第３の光記録媒体が追記可能型である場合の断面図を示している。同図に示すように、案内溝８５が設けられた透明基板８１上に、非線形光学膜８２、ＴｅＯｘ等の相変化膜８３、反射膜８４とからなる記録層が形成されている、対物レンズ８６によりレーザ光８７が記録層に集光照射され、情報の記録再生が行われる。追記可能型の場合も再生専用型と同様に、非線形光学膜８２を設けることにより、通常の光記録媒体の２倍の記録容量を実現することが可能となる。
【００８３】
次に、図９は、書き換え可能型である第３の光記録媒体の場合の断面図を示している。同図に示すように、案内溝９７が設けられた透明基板９１上に、ＺｎＳ−ＳｉＯ２等の透明誘電体膜９２、非線形光学膜９３、ＺｎＳ−ＳｉＯ２等の透明誘電体膜９４、ＧｅＳｂＴｅ等の相変化記録膜９５、ＺｎＳ−ＳｉＯ２等の透明誘電体膜９６からなる記録膜が形成され、対物レンズ９８によりレーザ光９９が記録層に集光照射され、情報の記録再生が行われる。書き換え可能型の場合も再生専用型と同様に、非線形光学膜９３を設けることにより、通常の光記録媒体の２倍の記録容量を実現することが可能となる。
【００８４】
上記のような非線形光学膜を有する記録層を、図１に示す本発明の第１の光記録媒体の第１記録層１３と第２記録層１６の両方に用いることにより、本発明の第１の光記録媒体の２倍の記録容量を有する光記録媒体である本実施形態の第３の光記録媒体を提供することができる。
【００８５】
また、図１において、第１記録層１３からなる第１記録面をＢＤフォーマットに対応した４０５ｎｍの波長のレーザ光Ｌ１１と０．８５の開口数ＮＡの対物レンズＣＬ１１を使用する記録面とし、第２記録面１６からなる第２記録面をＨＤ−ＤＶＤフォーマットに対応した４０５ｎｍの波長のレーザ光Ｌ１２と０．６の開口数ＮＡの対物レンズＣＬ１２とを使用する記録面とした場合、非線形光学膜を用いない場合、第１記録面と第２記録面を記録再生する対物レンズの開口数ＮＡの違いにより、第１記録面の記録容量が第２記録面の記録容量の２倍になり、第１記録面と第２記録面に対して、同一条件で、同一容量の記録を行うことができなくなる。
【００８６】
ここで、図１において、ＢＤフォーマットに対応した第１記録面に非線形光学膜を有さない記録層を形成し、ＨＤ−ＤＶＤフォーマットに対応した光学系により再生可能な第２記録面に非線形光学膜を有する記録層を形成することにより、非線形光学膜の超解像再生により、第２記録面の記録容量のみが２倍となり、第１記録面と第２記録面の記録容量を等しくすることができる。
【００８７】
すなわち、上記の構成によれば、異なるフォーマットに対応した記録層を有する光記録媒体において、各フォーマットにより決定されるトータルの記憶容量が等しくなるように、各記録面を構成する記録層の一方に非線形光学膜を設けることができる。これにより、本発明の第３の光記録媒体は、それぞれのフォーマットに対して、同一条件で、同一容量の記録を行うことが可能となる。
【００８８】
〔本発明の第４の光記録媒体〕
本発明の第４の光記録媒体は、図１０に示すように、上述した本発明の実施形態である第１から第３の光記録媒体において、その第１記録面１０１と第２記録面１０２の両方に、ＢＣＡ１０３が設けられた構成のものである。
【００８９】
図１５に示す構成の従来の光記録媒体に対して、第１記録面１０１に相当するＢＤ記録層１５２と第２記録面１０２に相当するＣＤ記録層１５４との両面に、図１０に示したように幅５０μｍのストライプパターン列からなる光透過タイプのＢＣＡ１０３を形成した場合、中間層１５３の厚さが１０μｍ〜３０μｍと薄いため、第２記録面１５４のＢＣＡ１０３のストライプパターンを透過したレーザ光は、ＢＤ記録層１５２により反射される。ここで、ＢＤ記録層１５２のＢＣＡ１０３が、第２記録面１５４と同じ半径位置に形成されている場合、ＢＤ記録層１５２からの反射光は、ＣＤ記録層１５４のＢＣＡ１０３のパターンの有無により変調されることになる。その結果、ＢＤ記録層１５２のＢＣＡ１０３の情報に、ＣＤ記録層１５４のＢＣＡ１０３の情報が混入し、ＢＣＡ情報の読み取りエラーが発生することになる。
【００９０】
これに対して、本発明の実施形態である第１から第３の光記録媒体はいずれも、第１記録面１０１と第２記録面１０２との間に、０．５ｍｍ程度の厚さの第２基板（第２基板１４、第２基板５４、第２基板６３）が設けられており、第１記録面１０１と第２記録面１０２との間隔が広くなっている。従って、第１記録面１０１のＢＣＡ１０３を透過したレーザ光が、第２記録面１０２において反射されても、反射光が拡散されるため、第１記録面１０１のＢＣＡ情報に、第２記録面１０２のＢＣＡ情報が混入するといった問題が発生せず、各記録面のＢＣＡ情報を安定して再生することができる。
【００９１】
また、第２基板として、レーザ光を透過しない材料、例えば、不透明樹脂基板、ステンレスシート、ペーパーシート等を用いることにより、第１記録面１０１のＢＣＡ情報と、第２記録面１０２のＢＣＡ情報との干渉が完全に無くなるから、各記録面のＢＣＡ情報を安定して再生することができる。
【００９２】
また、図１６に示す構成の従来の光記録媒体においては、第１記録面１０１に相当するＣＤ記録層１６２の再生を行うレーザ光１６８が、第２記録面１０２に相当するＢＤ記録層１６４を透過して集光照射されるため、ＢＤ記録層１６４に形成されたＢＣＡ情報が、ＣＤ記録層１６２のＢＣＡ情報にノイズとして混入し、ＢＣＡ情報の読み取りエラーが発生することになるという問題がある。
【００９３】
図１１は、図１０のＢＣＡ１０３付近を拡大して表示した断面図であり、第１記録面１０１のＢＣＡ１０３と、第２記録面１０２のＢＣＡ１０３との、光記録媒体の各記録面の中心からの距離（半径位置）の関係を示している。図１１に示す例では、第１記録面１０１に形成されたＢＣＡ１０３の内周側および外周側の半径位置をそれぞれａ１およびｂ１、第２記録面１０２に形成されたＢＣＡ１０３の内周側および外周側の半径位置をそれぞれａ２およびｂ２で示している。ここで、第１記録面１０１と第２記録面１０２との距離をｄ、レーザ光１０４を集光する対物レンズの開口数をＮＡ１、基板の屈折率をｎ１とすると、図１１に示すように、レーザ光１０４の光軸とレーザ光１０４の外縁とのなす角の角度θは、θ＝ｓｉｎ−１（ＮＡ１／ｎ１）で表される。
【００９４】
このとき、互いのＢＣＡの半径位置が、以下の式（１）および（２）の関係を満たすとき、第１記録面１０１上のＢＣＡ１０３を再生するレーザ光が、第２記録面１０２上のＢＣＡ１０３を経由することになり、重畳した信号を再生し、ＢＣＡ情報の読み取りエラーが発生する可能性がある。
ｂ１＞ａ１−ｄ×ｔａｎ（ｓｉｎ−１（ＮＡ１／ｎ１））……（１）
ｂ２＜ａ２＋ｄ×ｔａｎ（ｓｉｎ−１（ＮＡ１／ｎ１））……（２）
しかしながら、本実施形態の第４の光記録媒体においては、各記録面（第１記録面１０１および第２記録面１０２）の情報を再生するレーザ光が、他方の記録面を通過しない構成、すなわち一方の記録面の情報を再生する場合に、レーザ光が他方の記録面を通過せず、当該情報を再生する記録面のみに照射される構成となっており、各記録面のＢＣＡが上記の式（１）、（２）の関係を満たす位置関係にあっても、それぞれのＢＣＡ情報を独立して再生することが可能である。
【００９５】
以上のように、本実施形態の光記録媒体においては、第１記録面１０１と第２記録面１０２のＢＣＡ１０３の情報を、それぞれ独立して再生することが可能である。従って、第１記録面１０１および第２記録面１０２のＢＣＡ１０３の少なくとも一部が、記録層の積層方向に重なった領域に形成されている場合においても、第１記録面１０１のＢＣＡ１０３の情報と第２記録面１０２のＢＣＡ１０３の情報とを、正確に読み出すことが可能である。
【００９６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００９７】
本発明の光記録媒体は、上記の課題を解決するための手段として、以下の構成を備えている。
【００９８】
本発明の光記録媒体は、第１透明基板または第１透明カバー層、第１記録面、第２基板、第２記録面、第３透明基板がこの順に積層された光記録媒体において、上記第１記録面および上記第２記録面は異なるフォーマットに対応しており、この順にそれぞれ、上記第１透明基板側および第３透明基板側から照射されたレーザ光により情報が記録および／または再生されることを特徴する光記録媒体。
【００９９】
上記の発明によれば、第１記録面への情報の記録再生を行う際と、第２記録面への情報の記録再生を行う際とのいずれも、他方の記録面を透過することなく、それぞれの記録面にレーザ光を照射することにより行うことができる。これにより、従来の光記録媒体と同様な安定した記録再生を実現することが可能となる。
【０１００】
また、第２基板の厚みを調整することで、光記録媒体全体の厚みを所定のものとすることができる。これにより、光記録媒体のトータル厚さを容易に調整することができるから、光記録媒体全体の厚みに関し、異なるフォーマットの互換性を確保することができる。
【０１０１】
上記本発明の光記録媒体は、上記第１記録面がＢＤフォーマットに対応した記録面であり、上記第２記録面がＨＤ−ＤＶＤフォーマットまたはＤＶＤフォーマットに対応した記録面である構成としてもよい。
【０１０２】
上記の発明によれば、ＢＤフォーマットに対応した記録面と、ＨＤ−ＤＶＤフォーマットまたはＤＶＤフォーマットに対応した記録面を有する光記録媒体において、それぞれの記録面に対して、他方の記録面を透過することなく、従来の光記録媒体と同様な安定した記録再生を実現することが可能となる。
【０１０３】
上記本発明の光記録媒体は、光記録媒体の厚さが、ＢＤフォーマットに対応した光記録媒体の厚さであることが好ましい。
【０１０４】
上記の発明によれば、第２基板の厚さを調整することにより、ＢＤフォーマットに対応した光記録媒体の厚さと等しくすることができる。このような上記第２基板の厚さの設定としては、例えば、光記録媒体のトータル厚さが１．２ｍｍとなる構成が挙げられる。これにより、ＢＤフォーマットのみに対応する記録再生装置に対しても、ＨＤ−ＤＶＤフォーマットのみに対応する記録再生装置に対してもチャッキング可能な光記録媒体を提供することが可能となる。
【０１０５】
上記本発明の光記録媒体は、上記第１記録面および／または上記第２記録面が、複数の記録層により構成されているものであってもよい。また、この場合、上記第１記録面の記録容量と上記第２記録面の記録容量とを概ね等しくすることが好ましい。
【０１０６】
上記の発明によれば、上記第１記録面と上記第２記録面との両方、もしくは、一方を、複数の記録層により構成された記録面とすることにより、光記録媒体の記録密度を増大させることが可能となる。また、第１記録面の記録容量と第２記録面の記録容量とを、等しくすることにより、それぞれのフォーマットに対して、同一条件で、同一容量の記録を行うことが可能となる。このため、例えば、同一プログラムを異なるフォーマットの記録面に記録する際に、同一の圧縮レートで信号処理を行い、記録することが可能となり、各々の記録面それぞれに対応した圧縮レートで信号処理を行い、記録することが可能となる。このため、各々の記録面それぞれに対応した圧縮レートで信号処理を行わなくても良いから、１つのメディアパッケージを製造する際の、信号処理にかかるコストを低減することが可能となる。
【０１０７】
上記第１記録面の記録容量と上記第２記録面の記録容量とが概ね等しいものとなるようにするには、例えば、上記第１記録面がＢＤフォーマットに対応した１層の記録層により構成されており、上記第２記録面がＨＤ−ＤＶＤフォーマットに対応した２層の記録層により構成されているものとすればよい。
【０１０８】
上記の発明によれば、ＢＤフォーマットに対応した１層の記録層からなる第１記録面の記録容量２５ＧＢと、ＨＤ−ＤＶＤフォーマットに対応した２層の記録層からなる第２記録面の記録容量３０ＧＢとが、概ね等しくなるから、それぞれのフォーマットに対して、同一条件で同一容量の記録を行うことが可能となる。
【０１０９】
また、上記の構成以外に、上記第１記録面がＢＤフォーマットに対応した２層の記録層により構成されており、上記第２記録面がＨＤ−ＤＶＤフォーマットに対応した４層の記録層により構成されたものとしても、上記第１記録面の記録容量と上記第２記録面の記録容量とを概ね等しくすることができる。
【０１１０】
上記の発明によれば、ＢＤフォーマットに対応した２層の記録層からなる第１記録面の記録容量と、ＨＤ−ＤＶＤフォーマットに対応した４層の記録層からなる第２記録面の記録容量とを、概ね等しくすることができるから、それぞれのフォーマットに対して、同一条件で、同一容量の記録を行うことが可能となる。
【０１１１】
さらに、上記の構成以外に、上記第１記録面がＢＤフォーマットに対応した１層の記録層により構成されており、上記第２記録面がＤＶＤフォーマットに対応した５層の記録層により構成されたものとしても、上記第１記録面の記録容量と上記第２記録面の記録容量約２３．５ＧＢとを概ね等しいものとすることができる。
【０１１２】
上記の発明によれば、ＢＤフォーマットに対応した１層の記録層からなる第１記録面の記録容量と、ＤＶＤフォーマットに対応した５層の記録層からなる第２記録面の記録容量とを、概ね等しくすることができるから、それぞれのフォーマットに対して、同一条件で、同一容量の記録を行うことが可能となる。
【０１１３】
上記本発明の光記録媒体は、上記第１記録面の情報の記録再生を行うレーザ光の波長と、上記第２記録面の情報の記録再生を行うレーザ光の波長とが、ほぼ等しいものであってもよい。
【０１１４】
上記本発明の光記録媒体の上記第１記録面および上記第２記録面は、この順にそれぞれ、上記第１透明基板側および第３透明基板側から照射されたレーザ光により情報が記録および／または再生されるものであるから、上記第１および第２記録面のうち、他方の記録面を透過することなく、一方の記録面にレーザ光を直接照射することにより、情報の記録再生を行うことができる。このため、例えば、ＢＤとＨＤ−ＤＶＤのように、ほぼ同一波長のレーザ光を用いて情報を記録再生する場合であっても、他方の記録面を介することなく、一方の記録面の情報を記録再生することができる。従って、両方の記録面に対する記録再生を、低出力の半導体レーザ光源を用いて、適切に行うことが可能となる。
【０１１５】
例えば、ＤＶＤ記録再生装置のピックアップ部品では、規格の違いや半導体レーザの製造バラつき等により、波長が６２０ｎｍ〜６７０ｎｍ程度の部品が存在しており、また、ＢＤやＨＤ−ＤＶＤ記録再生装置では、波長４０５ｎｍに対して前後１０ｎｍ程度の分布が有る。よって、本発明において、波長が「ほぼ等しい」とは、上記第１記録面の情報の記録再生を行うレーザ光の波長と、上記第２記録面の情報の記録再生を行うレーザ光の波長との差が４０ｎｍ程度以内であることをいう。
【０１１６】
上記本発明の光記録媒体の上記第２基板は、例えば、金属シートやペーパーシートにより構成してもよい。金属シートからなる第２基板を用いることにより、光記録媒体の剛性を高くすることが可能となり、そり等の変形の発生が抑制された光記録媒体を提供できる。また、ペーパーシート（紙シート）からなる第２基板を用いることにより、光記録媒体の低コスト化が実現するとともに、環境に対する負荷の小さな光記録媒体を提供できる。なお、「金属シート」および「ペーパーシート」とは、その主成分が「金属」および「紙」からなるシートのことをいい、補強のために樹脂等の他の成分を含んだものや表面にコーティングされたものであっても良い。
【０１１７】
上記本発明の光記録媒体は、上記第１記録面および／または上記第２記録面のレーザ光入射面側に、非線形光学膜が形成されているものであってもよい。
【０１１８】
上記の発明によれば、記録面のレーザ光入射側に非線形光学膜が設けられるから、当該非線形光学膜により、記録容量の大きな光記録媒体を実現することができる。ここで、「非線形光学膜」とは、例えば、レーザ光の照射に伴う温度上昇に対して、屈折率や光透過率や光反射率等が、非線形的に変化するものをいう。これにより、レーザ光が集光照射されて形成される光ビームスポット内の一部分のみの情報を再生する超解像再生を実現すことができるから、記録容量の大きな光記録媒体とすることが可能となる。
【０１１９】
上記非線形光学膜が形成されている光記録媒体は、上記第１記録面がＢＤフォーマットに対応した記録層であり、上記第２記録面がＨＤ−ＤＶＤフォーマットに対応した記録層であり、かつ、上記第１記録面と第２記録面のうち、第２の記録面のレーザ光入射側にのみ非線形光学膜が形成されている構成としてもよい。
【０１２０】
上記の発明によれば、ＢＤフォーマットに対応した第１記録面が非線形光学膜を有さず、ＨＤ−ＤＶＤフォーマットに対応した光学系により再生可能な第２記録面のレーザ光入射側に非線形光学膜を有していないから、容易に、第１記録面の記録容量と第２記録面の記録容量とを等しくすることができる。これにより、第１記録面と第２記録面それぞれの記録面に対して、同一条件で、同一容量の記録を行うことが可能な光記録媒体とすることができる。
【０１２１】
上記本発明の光記録媒体は、上記第１記録面および上記第２記録面のそれぞれがＢＣＡ（Ｂｕｒｓｔ Ｃｕｔｔｉｎｇ Ａｒｅａ）を有しており、該ＢＣＡに光記録媒体の識別情報を含んだバーコード状のマークが形成されているものであってもよい。
【０１２２】
上記本発明の光記録媒体は、上述したように、第１記録面と第２記録面とが第２基板を介して設けられている。このため、それぞれの記録面に設けられたＢＣＡに記録されたバーコード状のパターン情報を読み出す際に、一方の記録面のＢＣＡ情報が、他方の記録面のＢＣＡ情報に混入することが防がれた光記録媒体を実現できる。
【０１２３】
上記第１記録面および上記第２記録面のそれぞれがＢＣＡを有している光記録媒体は、上記第１記録面および上記第２記録面のそれぞれに形成されているＢＣＡの少なくとも一部が、第１記録面および第２記録面の法線方向からみて重なった領域に形成されているものであってもよい。
【０１２４】
上記本発明の光記録媒体は、上述のとおり第１記録面と第２記録面とが第２基板を介して設けられている。このため、第１記録面および第２記録面のＢＣＡの少なくとも一部が、第１記録面および第２記録面の法線方向、すなわち上記第１記録面および上記第２記録面を構成する記録層の積層方向に重なった領域に形成されている場合においても、第１記録面のＢＣＡ情報と第２記録面のＢＣＡ情報とを、正確に読み出すことが可能である。
【０１２５】
本発明の製造方法は、上記本発明の光記録媒体の製造方法であって、上記第２記録面が形成された上記第３透明基板上に、上記第１記録面が形成された上記第２基板を接着剤により貼り合わせ、該第１記録面上に、上記第１透明基板を透明接着剤により貼り合わせることを特徴としている。
【０１２６】
上記の発明によれば、従来の光記録媒体と同程度の厚さを有する第３透明基板上および第２基板上に、第２記録面および第１記録面を形成することが可能である。このため、従来同様に、射出成形法やフォトポリマー法（２Ｐ法）を用いて、記録情報やトラッキングのための凹凸パターンを基板表面に形成することができ、光記録媒体の形成コストを低減することが可能となる。
【０１２７】
本発明の製造方法は、上記本発明の光記録媒体の製造方法であって、上記第１記録面と上記第２記録面とが形成された上記第２基板の両面に、上記第１透明基板と上記第３透明基板とを、透明接着剤により貼り合わせることを特徴としている。
【０１２８】
上記の発明によれば、第２基板の両表面に、一括して記録情報やトラッキングのための凹凸パターンを形成することが可能となり、形成プロセスが簡略化されるとともに、光記録媒体の低コスト化を実現することができる。
【０１２９】
本発明の製造方法は、上記本発明の光記録媒体の製造方法であって、上記第１記録面が形成された上記第１透明基板、および上記第２記録面が形成された上記第３透明基板を、接着剤によって上記第２基板に貼り合わせることを特徴としている。
【０１３０】
上記の発明によれば、それぞれの基板を貼り合わせる接着剤を記録再生のためのレーザ光が通過することが無いため、光を透過し難い接着剤を使用することが可能である。このため、例えば、安価な両面粘着テープ等の接着剤を用いることにより、光記録媒体の低コスト化が実現されるとともに、貼り合わせ工程を簡略化することができる。
【０１３１】
本発明の光記録媒体は、以上のように、上記第１記録面および上記第２記録面は異なるフォーマットに対応しており、この順にそれぞれ、上記第１透明基板側および第３透明基板側から照射されたレーザ光により情報が記録および／または再生されるものである。これにより、第１記録面への情報の記録再生を行う際と、第２記録面への情報の記録再生を行う際、それぞれの記録面に対して、他方の記録面を透過することなく、従来の光記録媒体と同様な安定した記録再生を実現することが可能となる。また、第２基板により光記録媒体のトータル厚さを容易に調整することができるから、光記録媒体全体の厚みに関し、異なるフォーマットの互換性を確保することができる。
【０１３２】
なお、本発明の光記録媒体の製造方法は、第１透明基板または第１透明カバー層、第１記録面、第２基板、第２記録面、第３透明基板がこの順に積層された光記録媒体において、上記第１記録面および上記第２記録面は異なるフォーマットに対応しており、この順にそれぞれ、上記第１透明基板側および第３透明基板側から照射されたレーザ光により情報が記録および／または再生される光記録媒体の製造方法であって、上記第１記録面を構成する第１記録層および上記第２記録面を構成する第２記録層に、一括して凹凸パターンを形成し、上記第１記録面と上記第２記録面とが形成された上記第２基板の両面に、上記第１透明基板と上記第３透明基板とを、透明接着剤により貼り合わせてもよい。
【０１３３】
また、本発明の光記録媒体の製造方法は、第１透明基板または第１透明カバー層、第１記録面、第２基板、第２記録面、第３透明基板がこの順に積層された光記録媒体において、上記第１記録面および上記第２記録面は異なるフォーマットに対応しており、この順にそれぞれ、上記第１透明基板側および第３透明基板側から照射されたレーザ光により情報が記録および／または再生される光記録媒体の製造方法であって、上記第１記録面が形成された上記第１透明基板、および上記第２記録面が形成された上記第３透明基板を、接着剤によって上記第２基板に貼り合わせてもよい。
【０１３４】
本発明の光記録媒体の製造方法は、以上のように、第１透明基板または第１透明カバー層、第１記録面、第２基板、第２記録面、第３透明基板がこの順に積層された光記録媒体において、上記第１記録面および上記第２記録面は異なるフォーマットに対応しており、この順にそれぞれ、上記第１透明基板側および第３透明基板側から照射されたレーザ光により情報が記録および／または再生される光記録媒体の製造方法であって、上記第１記録面を構成する第１記録層および上記第２記録面を構成する第２記録層に、一括して凹凸パターンを形成し、上記第１記録面と上記第２記録面とが形成された上記第２基板の両面に、上記第１透明基板と上記第３透明基板とを、透明接着剤により貼り合わせてよい。
【０１３５】
また、本発明の光記録媒体の製造方法は、第１透明基板または第１透明カバー層、第１記録面、第２基板、第２記録面、第３透明基板がこの順に積層された光記録媒体において、上記第１記録面および上記第２記録面は異なるフォーマットに対応しており、この順にそれぞれ、上記第１透明基板側および第３透明基板側から照射されたレーザ光により情報が記録および／または再生される光記録媒体の製造方法であって、上記第１記録面が形成された上記第１透明基板、および上記第２記録面が形成された上記第３透明基板を、接着剤によって上記第２基板に貼り合わせてよい。
【０１３６】
それゆえ、複数の異なるフォーマットに対応した光記録再生装置に対して装着可能な互換性を有する光記録媒体の製造方法を提供することができる。
【０１３７】
本発明に係る光記録媒体は、前記課題を解決するために、第１透明基板または第１透明カバー層、第１記録面、第２基板、第２記録面、第３透明基板がこの順に積層された光記録媒体であって、上記第１記録面および上記第２記録面は異なるフォーマットに対応しており、上記第２基板と、上記第１記録面を構成する第１記録層の凹凸パターンと、上記第２記録面を構成する第２記録層の凹凸パターンとが、一括して射出成形された形成物であってよい。
【０１３８】
本発明に係る光記録媒体は、前記課題を解決するために、第１透明基板または第１透明カバー層、第１記録面、第２基板、第２記録面、第３記録面、第３透明基板がこの順に積層された光記録媒体であって、上記第１記録面は、上記第２記録面および上記第３記録面とは異なるフォーマットに対応しており、上記第２記録面および上記第３記録面は等しいフォーマットに対応しており、上記第２基板と、上記第１記録面を構成する第１記録層の凹凸パターンと、上記第２記録面を構成する第２記録層の凹凸パターンとが、一括して射出成形された形成物であってよい。
【０１３９】
本発明に係る光記録媒体は、上記第１透明基板または第１透明カバー層、上記第２基板、及び上記第３透明基板の厚みはそれぞれ、０．１ｍｍ、０．５ｍｍ、及び０．６ｍｍであることが好ましい。
【０１４０】
本発明に係る光記録媒体は、以上のように、上記第１記録面および上記第２記録面は異なるフォーマットに対応しており、上記第２基板と、上記第１記録面を構成する第１記録層の凹凸パターンと、上記第２記録面を構成する第２記録層の凹凸パターンとが、一括して射出成形された形成物である。
【０１４１】
また、本発明に係る光記録媒体は、以上のように、上記第１記録面は、上記第２記録面および上記第３記録面とは異なるフォーマットに対応しており、上記第２記録面および上記第３記録面は等しいフォーマットに対応しており、上記第２基板と、上記第１記録面を構成する第１記録層の凹凸パターンと、上記第２記録面を構成する第２記録層の凹凸パターンとが、一括して射出成形された形成物である。
【０１４２】
それゆえ、複数の異なるフォーマットに対応した光記録再生装置に対して装着可能な互換性を有する光記録媒体を提供することができる。
【産業上の利用可能性】
【０１４３】
本発明は、複数の異なるフォーマットに対応した光記録再生装置に対して装着可能な互換性を有する光記録媒体として利用できる。
【符号の説明】
【０１４４】
１１，５１，６１  第１透明基板
１２  透明接着剤層
１３  第１記録面
１４，５４  ６３  第２基板
１５  接着剤
１６  第２記録面
１７，５８，６５  第３透明基板
Ｌ１１，Ｌ１２  レーザ光
ＬＣ１１，ＬＣ１２  対物レンズ
５３  第１記録層（第１記録面）
５５  第２記録層（第２記録面）
５７  第３記録層（第３記録面）
６２  記録層（第１記録面）
６４  記録層（第２記録面）
７２，８２，９３  非線形光学膜
【図１】
2010186561.tif 000003
【図２】
2010186561.tif 000004
【図３】
2010186561.tif 000005
【図４】
2010186561.tif 000006
【図５】
2010186561.tif 000007
【図６】
2010186561.tif 000008
【図７】
2010186561.tif 000009
【図８】
2010186561.tif 000010
【図９】
2010186561.tif 000011
【図１０】
2010186561.tif 000012
【図１１】
2010186561.tif 000013
【図１２】
2010186561.tif 000014
【図１３】
2010186561.tif 000015
【図１４】
2010186561.tif 000016
【図１５】
2010186561.tif 000017
【図１６】
2010186561.tif 000018
【図１７】
2010186561.tif 000019
【図１８】
2010186561.tif 000020